(57)【要約】【課題】表示パネルを光源としてデバイスの周囲を任意の色調の光で示すことができ、光の表現の自由度を向上させる。【解決手段】表示部１００は、映像を表示する表示パネル（１１０）と、表示パネル（１１０）を保護するカバーパネル（１２０）と、を備え、カバーパネル（１２０）に形成された開口部（１２１）には、所定の情報の入出力を行うためのデバイス（４００）が設けられ、デバイス（４００）の周囲の少なくとも一部に設けられ、表示パネル（１１０）から出射される光を透過する透光部材（１２２）をさらに備える。【選択図】図１
2020043452.tif 000002
【特許請求の範囲】
【請求項１】
電子機器に備えられた表示装置であって、
前記表示装置は、
映像を表示する表示パネルと、
前記表示パネルの前面に重畳して配置され、当該表示パネルを保護するカバーパネルと、を備えており、
前記カバーパネルの少なくとも一部に形成された開口部には、所定の情報の入出力を行うためのデバイスが設けられており、
前記デバイスの周囲の少なくとも一部に設けられ、前記表示パネルから出射される光を透過する透光部材をさらに備えることを特徴とする表示装置。
【請求項２】
前記デバイスは、前記透光部材によって前記開口部に固定されており、
前記透光部材は、前記デバイスと前記開口部との間の隙間に配置されていることを特徴とする請求項１に記載の表示装置。
【請求項３】
前記カバーパネルは、前記開口部の周囲に、重畳した前記表示パネルの領域を非表示とする非表示領域を有することを特徴とする請求項１または２に記載の表示装置。
【請求項４】
前記透光部材は、前記表示パネルと接触していることを特徴とする請求項１から３のいずれか１項に記載の表示装置。
【請求項５】
前記透光部材における前記カバーパネル側には凹部が形成され、当該凹部には、前記カバーパネルと前記透光部材とを接着させる接着部材が設けられていることを特徴とする請求項１から４のいずれか１項に記載の表示装置。
【請求項６】
少なくとも１つの表示装置を備える電子機器であって、
前記表示装置は、
映像を表示する表示パネルと、
前記表示パネルの前面に重畳して配置され、当該表示パネルを保護するカバーパネルと、を備えており、
前記カバーパネルの少なくとも一部に形成された開口部には、所定の情報の入出力を行うためのデバイスが設けられており、
前記デバイスの周囲の少なくとも一部に設けられ、前記表示パネルから出射される光を透過する透光部材をさらに備えることを特徴とする電子機器。
【発明の詳細な説明】
【技術分野】
【０００１】
本発明は表示装置及び電子機器に関する。
【背景技術】
【０００２】
電子機器において、ユーザが電子機器に搭載されたキートップ等のデバイスの位置を容易に認識するため、デバイスの周囲に配置された透光部材に光を出射する構成が知られている。特許文献１に開示されている携帯端末では、キートップの裏側に光源としてＬＥＤを配置し、キートップの周囲に配置された透光部材に光を出射することによりキートップの位置を容易に認識することができる。
【先行技術文献】
【特許文献】
【０００３】
【特許文献１】特開２００１−２５１４０１号公報（２００１年９月１４日公開）
【発明の概要】
【発明が解決しようとする課題】
【０００４】
しかしながら、特許文献１に開示されている携帯端末では、光源として単一の光を出射するＬＥＤを用いるため、任意の色調の光を出射する光源を用いた場合と比べて、光の表現の自由度が低いという問題がある。
【０００５】
本発明の一態様は、表示パネルを光源としてデバイスの周囲を任意の色調の光で示すことができ、光の表現の自由度を向上させることを目的とする。
【課題を解決するための手段】
【０００６】
前記の課題を解決するために、本発明の一態様に係る表示装置は、電子機器に備えられた表示装置であって、前記表示装置は、映像を表示する表示パネルと、前記表示パネルの前面に重畳して配置され、当該表示パネルを保護するカバーパネルと、を備えており、前記カバーパネルの少なくとも一部に形成された開口部には、所定の情報の入出力を行うためのデバイスが設けられており、前記デバイスの周囲の少なくとも一部に設けられ、前記表示パネルから出射される光を透過する透光部材をさらに備える。
【０００７】
また、前記の課題を解決するために、本発明の一態様に係る電子機器は、少なくとも１つの表示装置を備える電子機器であって、前記表示装置は、映像を表示する表示パネルと、前記表示パネルの前面に重畳して配置され、当該表示パネルを保護するカバーパネルと、を備えており、前記カバーパネルの少なくとも一部に形成された開口部には、所定の情報の入出力を行うためのデバイスが設けられており、前記デバイスの周囲の少なくとも一部に設けられ、前記表示パネルから出射される光を透過する透光部材をさらに備える。
【発明の効果】
【０００８】
本発明の一態様によれば、表示パネルを光源としてデバイスの周囲を任意の色調の光で示すことができ、光の表現の自由度を向上させることができる。
【図面の簡単な説明】
【０００９】
【図１】本発明の実施形態１に係る電子機器の要部構成の一例を示すブロック図である。
【図２】本発明の実施形態１に係る電子機器における表示パネル、カバーパネル、及び開口部の位置関係の概要を示す模式図である。
【図３】本発明の実施形態１に係る電子機器における各種部材の物理的な配置の一例を示す模式図であり、（ａ）はデバイス周辺の断面図を示し、（ｂ）は（ａ）のうち、破線で示した領域Ａの拡大図を示す。
【図４】本発明の実施形態１に係る電子機器においてカバーパネルに設けられる非表示領域の具体例を示す模式図である。
【図５】変形例に係る電子機器の概要を示す模式図である。
【図６】本発明の実施形態２に係る電子機器における表示パネル、カバーパネル、及び開口部の位置関係の概要を示す模式図である。
【発明を実施するための形態】
【００１０】
〔実施形態１〕
（電子機器の構成）
本実施形態に係る電子機器１の構成について、図１及び図２を用いて説明する。図１は、電子機器１の要部構成の一例を示すブロック図である。図２は、電子機器１における表示パネル１１０、カバーパネル１２０、及び開口部１２１の位置関係の概要を示す模式図である。
【００１１】
電子機器１は、図１に示すように、少なくとも１つの表示部１００（表示装置）、少なくとも１つの制御部２００、及び入力部３００を備えている。電子機器１としては、例えば、スマートフォンが挙げられるが、電子機器１はタブレット端末またはノートＰＣ等であってもよい。
【００１２】
表示部１００は、表示パネル１１０、カバーパネル１２０、及び接着層１３０を有している。表示パネル１１０は、電子機器１に備えられた表示装置として機能し、例えば、液晶ディスプレイである。表示部１００は、映像を表示可能な構成であればどのような構成であってもよく、例えば、有機ＥＬディスプレイであってもよい。表示パネル１１０は、制御部２００が有する表示制御処理部２１０の制御にしたがって映像を表示する。表示パネル１１０は、映像を表示することが可能な構成であれば、液晶パネルまたは有機ＥＬパネル等の公知の構成であってもよい。
【００１３】
カバーパネル１２０は、所定の厚みを有し、表示パネル１１０の前面に重畳して配置され、表示パネル１１０の全面を保護する。表示パネル１１０が表示した映像が見えるように、カバーパネル１２０は、ガラスまたはプラスチックといった透明材料から構成されていることが好ましい。カバーパネル１２０は、表示パネル１１０の前面に配置される。また、カバーパネル１２０は、接着層１３０によって表示パネル１１０の前面に固定されていることが好ましいが、表示パネル１１０の周辺の枠部にはめ込まれる等のように、接着層１３０による固定以外の方法で表示パネル１１０に固定されてもよい。また、図２に示すように、カバーパネル１２０の少なくとも一部には開口部１２１が形成されている。開口部１２１には後述するデバイス４００が入る。開口部１２１の位置及び大きさに関する制約は特にないが、表示パネル１１０の映像をユーザに違和感なく表示できるように、開口部１２１及びデバイス４００はカバーパネル１２０の端部付近に設けられることが好ましい。
【００１４】
制御部２００は、電子機器１の各部を統括して制御する制御装置として機能する。制御部２００は、入力部３００が受け付けたユーザの操作に応じた指示を生成し、当該指示に基づいて各部を制御する。制御部２００は、デバイス４００との間で情報の送受信を行い、デバイス４００に所定の情報を入出力させる。
【００１５】
表示制御処理部２１０は、制御部２００の指示にしたがって、表示パネル１１０の制御を行う。表示パネル１１０は、表示制御処理部２１０により映像を表示するように制御される。表示制御処理部２１０は、表示パネル１１０のうち、開口部１２１に重畳する領域には映像を表示しないように表示パネル１１０を制御してもよい。
【００１６】
入力部３００は、ユーザの操作を受け付けると、受け付けた操作に応じた信号を制御部２００に送信する入力装置として機能する。入力部３００は、例えば、透明部材による、表示パネル１１０と一体に形成されたタッチパネルであってもよいし、物理的なボタン類であってもよい。
【００１７】
（部材配置の具体例）
本実施形態に係る電子機器１におけるデバイス４００周辺の物理的な配置の具体例について、図３の各図を用いて説明する。図３は、電子機器１における各種部材の物理的な配置の一例を示す模式図である。図３の（ａ）は、デバイス４００周辺の断面図を示し、図３の（ｂ）は、図３の（ａ）のうち、破線で示した領域Ａの拡大図を示す。なお、以下の説明においてカバーパネル１２０の面のうち、外界に接する面を表面とし、接着層１３０及び表示パネル１１０に対向する面を裏面とする。
【００１８】
図３の（ａ）を用いてデバイス４００周辺の部材配置について説明する。開口部１２１には透光部材１２２によってデバイス４００が固定されている。つまり、開口部１２１にはデバイス４００が設けられている。デバイス４００は、電子機器１で使用する所定の情報の入出力を行うためのものである。デバイス４００は、例えば、ユーザの指紋を検出する指紋センサであってもよく、所定の情報としては当該指紋センサが検出した指紋に関するデータ情報等の、表示部１００の操作に関する情報であってもよい。当該データ情報は制御部２００との間で送受信される。
【００１９】
デバイス４００は表示パネル１１０の上に重畳して配置されるため、デバイス４００の位置及び大きさを考慮することなく表示パネル１１０の大きさを決定することができる。例えば、電子機器１の一面全体となるような大きさの表示パネル１１０を電子機器１に用いることができる。電子機器１は、カバーパネル１２０の開口部１２１に設けられたデバイス４００を用いた情報の入出力を、例えば、表示パネル１１０による映像の表示と並列に実行することができる。
【００２０】
上述したように、デバイス４００が指紋センサである例を挙げたが、デバイス４００は、例えば、制御部２００の指示にしたがって所定の情報を出力する構成であってもよい。例えば、デバイス４００は、色及び点滅速度等を異ならせて発光することが可能なＬＥＤ（Light Emitting Diode）ライトであってもよい。
【００２１】
透光部材１２２は、デバイス４００を開口部１２１に固定する透明な部材である。例えば、透光部材１２２は、ガラスまたはプラスチックといった透明材料から構成されることが好ましい。つまり、透光部材１２２は、表示パネル１１０から出射される光を透過する。デバイス４００の固定はどのように行ってもよく、図示しないボンドによるものであってもよいし、ねじ止めまたは溶接といった方法によるものであってもよい。透光部材１２２は、カバーパネル１２０と略等しい厚みを有し、開口部１２１に埋設されている。透光部材１２２にはデバイス４００が埋設されている。
【００２２】
透光部材１２２は、デバイス４００の周囲の少なくとも一部に設けられている。つまり、透光部材１２２は、デバイス４００の周囲の全てに設けられていてもよく、デバイス４００の周囲の一部に設けられていてもよい。よって、表示パネル１１０から出射される光が、透光部材１２２を介してデバイス４００の周囲の少なくとも一部から出射されるため、任意の色調の光をデバイス４００の周囲の少なくとも一部から出射させることができる。これにより、デバイス４００の場所を任意の色調の光で示すことができる。これにより、ＬＥＤ等を用いた場合と比べて光の表現の自由度を高くすることができ、ＬＥＤ等では実現できないこと、例えば、色調及びグラデーションの幅の拡大等を実現することができる。
【００２３】
また、透光部材１２２は、デバイス４００と開口部１２１との間の隙間に配置されている。これにより、デバイス４００と開口部１２１との間の隙間に透光部材１２２が配置されるため、デバイス４００の場所を任意の色調の光で示すことができ、かつ、当該隙間から電子機器１の内部が露出することを防ぐことができる。さらに、透光部材１２２が前記隙間に配置されることにより、表示パネル１１０に表示される映像とデバイス４００との境界を明確にすることができる。
【００２４】
接着層１３０は、表示パネル１１０とカバーパネル１２０とを接着する。接着層１３０は、例えば、スマートフォンまたはタブレット端末等において表示パネルの接着に用いられているＯＣＡ（Optical Clear Adhesive）テープのような、一定の厚みを有し、かつ、粘着性を有する透明部材で構成される。
【００２５】
カバーパネル１２０、透光部材１２２、及びデバイス４００は略面一となるように高さが調整されることが好ましいが、例えば、誤操作の発生を抑制するためにデバイス４００が奥まって配置されるようにデバイス４００の厚み及び埋設の深さを調整してもよい。また、カバーパネル１２０の少なくとも一部には非表示領域１２３が設けられている。図３の（ａ）において、非表示領域１２３はカバーパネル１２０の裏面側、かつ、透光部材１２２の周辺に設けられている。非表示領域１２３は、非表示領域１２３が重畳した表示パネル１１０の領域を覆っている（表示領域が隠される）。
【００２６】
カバーパネル１２０と透光部材１２２とは、接着部材１２４によって接着されており、透光部材１２２とデバイス４００とは、接着部材１２５によって接着されている。接着部材１２４・１２５は、接着層１３０とは別のボンドであってもよい。また、接着部材１２４・１２５は、接着層１３０と同様に透明な材料で構成されていることが好ましい。これにより、表示パネル１１０から出射された光が接着部材１２４・１２５を透過するため、透光部材１２２に表示パネル１１０から出射された光を透過させることができる。なお、単体の接着部材でカバーパネル１２０、透光部材１２２、及びデバイス４００を接着してもよい。
【００２７】
図３の（ｂ）を用いて表示パネル１１０、カバーパネル１２０、非表示領域１２３、及び接着層１３０の詳細な配置について説明する。図３の（ｂ）に示すように、カバーパネル１２０の開口部１２１には透光部材１２２が配置されており、透光部材１２２にはデバイス４００が埋設されている。また、カバーパネル１２０のうち、透光部材１２２の周辺には非表示領域１２３が設けられている。
【００２８】
カバーパネル１２０、透光部材１２２、及びデバイス４００は全て表示パネル１１０の表面側に重畳して配置されており、表示パネル１１０とカバーパネル１２０との間には、２つの接着層１３０がタッチパネルである入力部３００を挟み込んだ状態で配置されている。これにより、表示パネル１１０、カバーパネル１２０、及び入力部３００は、接着層１３０によって互いに固定されて配置されている。なお、接着層１３０の厚み及び入力部３００の厚みを変更することにより、様々な厚みを有するデバイス４００を配置することができる。
【００２９】
図３の（ｂ）において、開口部１２１の周縁部には表示パネル１１０とカバーパネル１２０との間に２つの接着層１３０及び入力部３００が配置されていない領域Ｂが存在する。表示パネル１１０が表示する映像は、２つの接着層１３０、入力部３００、及びカバーパネル１２０を透過することを前提としているため、領域Ｂを通った光は全体としての映像に悪影響を与えるおそれがある。つまり、接着層１３０等の有無による光の屈折率の違いから、表示パネル１１０が出射した映像の表示ずれ等の問題を生じるおそれがある。
【００３０】
そこで、非表示領域１２３は領域Ｂ全体を含むように形成されることが好ましい。さらに、非表示領域１２３が形成されることにより、透光部材１２２を透過した光とカバーパネル１２０を透過した光とが分離される。これにより、透光部材１２２を透過した光が目立ち、デバイス４００の位置を目立たせることができる。また、デバイス４００の周囲を光らせることができるため、電子機器１の意匠性を向上させることができる。なお、カバーパネル１２０と透光部材１２２とを両面テープ等で貼り付けてもよい。
【００３１】
また、非表示領域１２３により接着部材１２４を覆うことにより、接着部材１２４が外部から見えないようにすることができる。非表示領域１２３の幅Ｗ１は、カバーパネル１２０における透光部材１２２側の端部Ｔ１と、接着層１３０における透光部材１２２側の端部Ｔ２との間の距離Ｄ１以上である。これにより、例えば、カバーパネル１２０と透光部材１２２とを接着させる接着部材１２４が、非表示領域１２３によって外部から見えないようにすることができる。よって、電子機器１の意匠性を向上させることができる。
【００３２】
このようにして各種部材を配置することにより、表示パネル１１０を用いた映像の表示及びデバイス４００を用いた情報の入出力を適切に行う電子機器１を構成することができる。
【００３３】
（非表示領域の具体例）
本実施形態に係る電子機器１においてカバーパネル１２０に設けられる非表示領域１２３の具体例について、図４を用いて説明する。図４は、非表示領域１２３の具体例を示す模式図であり、カバーパネル１２０のうち、開口部１２１の周辺部を拡大したものである。図において黒色の部分が非表示領域１２３を示している。図４に示すように、カバーパネル１２０は、開口部１２１の周囲に、重畳した表示パネル１１０の領域を非表示とする非表示領域１２３を有している。
【００３４】
よって、開口部１２１の周囲に非表示領域１２３が存在するため、透光部材１２２の周囲に非表示領域１２３が存在することになる。これにより、非表示領域１２３によって透光部材１２２が目立つようになるため、非表示領域１２３が存在しない場合に比べて、デバイス４００の場所をより目立たせることができる。非表示領域１２３は、例えば、カバーパネル１２０に黒色印刷として設けられてもよい。
【００３５】
（変形例）
図５は、変形例に係る電子機器１ａの概要を示す模式図である。電子機器１ａは、電子機器１と比べて、複数の異なる種類のデバイス４００・４０１を備えている点が異なる。図５に示すように、電子機器１ａのカバーパネル１２０ａには、２つの開口部１２１・１２１ａが形成されており、２つの開口部１２１・１２１ａのそれぞれにはデバイス４００・４０１が配置されている。
【００３６】
ここで、２つの開口部１２１・１２１ａの大きさ及び位置は、開口部に配置されるデバイスの種類及び目的に応じて異ならせてもよい。これにより、カバーパネル１２０ａ上に様々な種類のデバイスを設けることができるため、様々な操作が可能な電子機器１ａを実現することができる。
【００３７】
〔実施形態２〕
図６は、本発明の実施形態２に係る電子機器２における表示パネル１１０、カバーパネル１２０、及び開口部１２１の位置関係の概要を示す模式図である。なお、説明の便宜上、前記実施形態にて説明した部材と同じ機能を有する部材については、同じ符号を付記し、その説明を繰り返さない。
【００３８】
図６において、基本的な構成は図３の各図と同一であるが、透光部材１２２ａの形状が透光部材１２２の形状と異なっている。具体的には、図６に点線枠で示した透光部材１２２ａの一部が、カバーパネル１２０の裏面に対向するように突出する形状で構成されている。この場合、透光部材１２２ａの突出部分は、接着部材１２４によってカバーパネル１２０と固定されるため、透光部材１２２ａが開口部１２１から剥離することを抑制することができる。このとき、例えば、接着部材１２４をカバーパネル１２０にボンド等によって接着し、より強固に固定してもよい。
【００３９】
また、透光部材１２２ａは、表示パネル１１０と接触している。これにより、表示パネル１１０から出射される光が透光部材１２２ａに直接入射するため、透光部材１２２ａが表示パネル１１０に接触しない場合に比べて、表示パネル１１０から出射される光によって透光部材１２２ａを強く発光させることができる。
【００４０】
具体的には、透光部材１２２ａと表示パネル１１０との間に空気の層が存在することを防ぐことができる。このため、表示パネル１１０から出射された光が空気の層へ侵入する際に生じる光の散乱、及び空気の層から透光部材１２２ａへ侵入する際における光の散乱が発生しなくなる。よって、光が減衰することを抑制でき、透光部材１２２ａに強い光を伝達することができる。
【００４１】
さらに、透光部材１２２ａにおけるカバーパネル１２０側には凹部１２６が形成され、凹部１２６には、カバーパネル１２０と透光部材１２２ａとを接着させる接着部材１２４が設けられている。よって、凹部１２６に接着部材１２４を設けることにより、カバーパネル１２０と透光部材１２２ａとを単に接着部材１２４によって接着させる場合に比べて、カバーパネル１２０と透光部材１２２ａとをより強固に接着させることができる。
【００４２】
〔ソフトウェアによる実現例〕
電子機器１・１ａ・２の制御ブロック（特に表示制御処理部２１０）は、集積回路（ＩＣチップ）等に形成された論理回路（ハードウェア）によって実現してもよいし、ソフトウェアによって実現してもよい。
【００４３】
後者の場合、電子機器１・１ａ・２は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００４４】
〔まとめ〕
本発明の態様１に係る表示装置は、電子機器に備えられた表示装置であって、前記表示装置は、映像を表示する表示パネルと、前記表示パネルの前面に重畳して配置され、当該表示パネルを保護するカバーパネルと、を備えており、前記カバーパネルの少なくとも一部に形成された開口部には、所定の情報の入出力を行うためのデバイスが設けられており、前記デバイスの周囲の少なくとも一部に設けられ、前記表示パネルから出射される光を透過する透光部材をさらに備える構成である。
【００４５】
本発明の態様２に係る表示装置は、上記の態様１において、前記デバイスは、前記透光部材によって前記開口部に固定されており、前記透光部材は、前記デバイスと前記開口部との間の隙間に配置されている構成としてもよい。
【００４６】
本発明の態様３に係る表示装置は、上記の態様１または２において、前記カバーパネルは、前記開口部の周囲に、重畳した前記表示パネルの領域を非表示とする非表示領域を有する構成としてもよい。
【００４７】
本発明の態様４に係る表示装置は、上記の態様１から３のいずれかにおいて、前記透光部材は、前記表示パネルと接触している構成としてもよい。
【００４８】
本発明の態様５に係る表示装置は、上記の態様１から４のいずれかにおいて、前記透光部材における前記カバーパネル側には凹部が形成され、当該凹部には、前記カバーパネルと前記透光部材とを接着させる接着部材が設けられている構成としてもよい。
【００４９】
本発明の態様６に係る電子機器は、少なくとも１つの表示装置を備える電子機器であって、前記表示装置は、映像を表示する表示パネルと、前記表示パネルの前面に重畳して配置され、当該表示パネルを保護するカバーパネルと、を備えており、前記カバーパネルの少なくとも一部に形成された開口部には、所定の情報の入出力を行うためのデバイスが設けられており、前記デバイスの周囲の少なくとも一部に設けられ、前記表示パネルから出射される光を透過する透光部材をさらに備える構成である。
【００５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５１】
１、１ａ、２  電子機器
１００  表示部（表示装置）
１１０  表示パネル
１２０、１２０ａ  カバーパネル
１２１、１２１ａ  開口部
１２２、１２２ａ  透光部材
１２３  非表示領域
１２４、１２５、１３０  接着部材
１２６  凹部
４００、４０１  デバイス
【図１】
2020043452.tif 000003
【図２】
2020043452.tif 000004
【図３】
2020043452.tif 000005
【図４】
2020043452.tif 000006
【図５】
2020043452.tif 000007
【図６】
2020043452.tif 000008